(57)【要約】【課題】電気機器の不特定の位置から流体が漏れ出した場合に、その流出を阻止する流体漏れ防止カバーを提供する。【解決手段】流体漏れ防止カバー１は、有底筒状のカバー本体２と、カバー本体２の開口端の周縁部に装着されたパッキン４と、パッキン４の内壁に嵌合された油吸着マット５と、カバー本体２をその開口端が電気機器の外面に密着するように取り付けるゴム紐３とを備える。【選択図】図１
2008034552.tif 000002
【特許請求の範囲】
【請求項１】
油等の流体が入った電気機器の周囲に取り付けて該電気機器からの流体の漏れを防止するカバーであって、
有底筒状のカバー本体と、
該カバー本体の開口端の周縁部に装着されたパッキンと、
前記カバー本体を、その開口端が前記電気機器の外面に密着するように取り付ける取付手段と
を備えることを特徴とする流体漏れ防止カバー。
【請求項２】
前記カバー本体は、その内部に流体を吸収する部材を有することを特徴とする請求項１記載の流体漏れ防止カバー。
【請求項３】
前記取付手段は、少なくとも一端が前記カバー本体に接続されたゴム紐であることを特徴とする請求項１又は２記載の流体漏れ防止カバー。
【請求項４】
前記カバー本体は透明な材料からなることを特徴とする請求項１乃至３のいずれか１項記載の流体漏れ防止カバー。
【発明の詳細な説明】
【技術分野】
【０００１】
本発明は、例えば変圧器のように油等の流体が入った電気機器から、流体が漏れて流出するのを防止するカバーに関する。
【背景技術】
【０００２】
従来、冷却部に冷却オイルを供給して循環するためのオイル本管と冷却部に連結された連結管とを、連結フランジを介して連結した変圧器に対し、連結フランジの外周を耐油性の被覆体にて被覆し、この被覆体の下端に開口した排出口に冷却オイルの回収容器を接続してなる油流出防止カバーが知られている（特許文献１参照）。この油流出防止カバーによれば、不可避的に冷却オイルが漏れ出す連結フランジの連結部を被覆体で被うことにより漏油の流出を防止するようになっている。
【０００３】
しかしながら、かかる油流出防止カバーでは、連結部以外の部分、例えば変圧器の側壁に亀裂や破損が生じ、変圧器内部の油が漏れ出したとしても、事後的に漏油の処置をすることができないという不都合がある。
【特許文献１】特開２００１−３３８８１４号公報
【発明の開示】
【発明が解決しようとする課題】
【０００４】
本発明は、以上の不都合の点に鑑み、電気機器の不特定の位置から流体が漏れ出した場合に、その流出を阻止する流体漏れ防止カバーを提供することを目的としている。
【課題を解決するための手段】
【０００５】
本発明の流体漏れ防止カバーは、油等の流体が入った電気機器の周囲に取り付けて該電気機器からの流体の漏れを防止するカバーであって、有底筒状のカバー本体と、該カバー本体の開口端の周縁部に装着されたパッキンと、前記カバー本体を、その開口端が前記電気機器の外面に密着するように取り付ける取付手段とを備えることを特徴とする。
【０００６】
本発明の流体漏れ防止カバーによれば、電気機器の周囲の任意の位置に、カバー本体の開口端部がパッキンを介して電気機器の外面に密着するようにカバー本体を取り付けることができる。そのため、電気機器の側壁など不特定の位置から油などの流体の漏れが生じた場合にも、その箇所にカバー本体の開口端を密着させて被覆することにより、電気機器の内部から漏れ出てくる流体を本体内に取り込み、外部への流出を防止することができる。
【０００７】
本発明の流体漏れ防止カバーにおいて、前記カバー本体は、その内部に流体を吸収する吸着部材を有することが好ましい。これにより、カバー本体内に取り込まれた流体は、吸着部材に吸収されるため、カバーを電気機器から取り外した場合にも、カバー内の流体が外部に流出することを防止することができる。
【０００８】
また、前記取付手段は、少なくとも一端が前記カバー本体に接続されたゴム紐であることが好ましい。これにより、一又は複数のゴム紐でカバー本体を電気機器の周囲に簡易に取り付けることができるとともに、ゴム紐の張力でパッキンを電気機器の外面に密着させることができる。
【０００９】
さらに、前記カバー本体は透明な材料からなることが好ましい。これにより、カバー本体内を視認することができ、流体の取り込みや吸収などの状態を外部から確認することができる。
【発明を実施するための最良の形態】
【００１０】
図１に示すように、一実施形態の流体漏れ防止カバー１は、電気機器の一部、例えば図２に示すような変圧器Ａの漏油部分Ｂを被うことができるカバー本体２と、カバー本体２を電気機器の周囲に取り付けるための取付手段として複数のゴム紐３とを備える。
【００１１】
カバー本体２は、透明な合成樹脂製の部材で有底筒状に形成されている。このカバー本体２の開口端の周縁部に、軟質ゴム製の環状のパッキン４が装着されている。この環状パッキン４の内側には、油を吸収する部材として油吸着マット５が嵌合している。また、カバー本体２の外周には、溝部６（図３参照）が形成され、これにＯリング７が嵌め込まれている。
【００１２】
ゴム紐３は、伸縮性のあるゴム製の部材からなり、両端に端部を折り返すことによりゴム紐３の長さを調整することができる長さ調節部材８が設けられている。ゴム紐３の一端側は、折返部でＯリング７を一巻きするようにしてカバー本体２に接続され、他端側は、折返部でＳ字フック９の一端に接続されている。
【００１３】
次に、流体漏れ防止カバー１の使用方法について説明する。
【００１４】
図２に示すように、流体漏れ防止カバー１は、例えば、落雷等によって電気機器である変圧器Ａの側壁等に破損が生じて変圧器Ａ内部の絶縁油が漏れ出した場合に、漏油部分Ｂを被って漏油の外部への流出を防止することに用いられる。
【００１５】
詳細には、まず、変圧器Ａの漏油などの事故に対応する作業者は、変圧器Ａのサイズに合わせて、長さ調節部材８によりゴム紐３の長さが変圧器Ａの外周の長さ程度となるように大まかに調整する。
【００１６】
なお、変圧器の形状は種々であるため、漏油部分Ｂの位置等に応じて、ゴム紐３とＯリング７との接続位置を調整してもよい。ゴム紐３とＯリング７との接続位置の調整は、Ｏリング７を一度、カバー本体２から外した上でゴム紐３の巻き位置をスライドさせることによって行うことができる。
【００１７】
次いで、作業者は、漏油部分Ｂを被うようにカバー本体２を被せる。そして、ゴム紐３を変圧器Ａの周囲に巻きつけて、その両端のＳ字フックを互いに係合させることによりカバー本体を変圧器Ａに取り付ける。このとき、ゴム紐３の長さを、長さ調節部材８によって再調節することで、カバー本体２を変圧器Ａに適当な張力で取り付けることができる。また、ゴム紐３を変圧器Ａの周囲に巻きつける代わりに、ゴム紐３またはＳ字フック９を変圧器Ａの突出部Ｃ等に係合させて、カバー本体２を変圧器Ａに取り付けるようにすることもできる。
【００１８】
変圧器Ａにカバー本体２が取り付けられると、図３に示すように、カバー本体２の開口端部がパッキン４を介して変圧器Ａの側壁に密着する。そのため、漏油部分Ｂから漏れ出た油はカバー本体２内に回収され、外部への流出が防止される。さらに、漏油部分Ｂから漏れ出た油は、パッキン４の内側に嵌合された油吸着マット５に逐次吸収される。
【００１９】
一方、流体漏れ防止カバー１を変圧器Ａから取り外す際には、作業者は、ゴム紐３のＳ字フック９の係合を解くことで、簡単にカバー本体２を漏油部分Ｂから外して分離することができる。また、漏油部分Ｂからカバー本体２側に漏れ出た油は、油吸着マット５に吸収されているので、カバー本体２内の漏油が外部に流出することも防止される。
【００２０】
以上、本発明の一実施形態について説明したが、本発明は、これに限られるものではない。例えば、カバー本体に接続されているゴム紐は２本用いられているが、これに限られるものではなく、１本のゴム紐を用いてその両端をカバー本体に接続する、或いは、３本以上のゴム紐を用いてカバー本体を変圧器に取り付けるようにしてもよい。
【００２１】
カバー本体を変圧器に取り付ける手段は、図示のようなゴム紐に限らず、パッキンを変圧器の外面に密着するもの、例えば、パッキンの端部全周に渡って貼られた両面テープ等であってもよい。
【００２２】
さらに、油以外の流体、例えば冷却用に水やガスを封入している電気機器に対しても、本発明のカバーは同様に使用可能である。
【図面の簡単な説明】
【００２３】
【図１】実施形態の流体漏れ防止カバーを示す斜視図。
【図２】実施形態の流体漏れ防止カバーの使用状態を示す図。
【図３】図２の要部を拡大して示す断面図。
【符号の説明】
【００２４】
１…流体漏れ防止カバー、２…カバー本体、３…ゴム紐、４…パッキン、Ａ…変圧器、Ｂ…漏油部分。
【図１】
2008034552.tif 000003
【図２】
2008034552.tif 000004
【図３】
2008034552.tif 000005